(57)【要約】【課題】監視・制御システムが分割されているプラントにおいて、プラント全体の状況が把握しやすいプラント遠隔監視制御システムを提供する。【解決手段】実施形態によれば、プラント遠隔監視制御システムは、遠隔ネットワーク４を介して複数の監視・制御システム内の監視・操作装置にリモートデスクトップ接続することによりプラントを遠隔より監視・操作する遠隔監視・操作装置２０を有する。監視・操作装置は、遠隔ネットワーク４を介して自身の属する監視・制御システムの重要警報情報を送信する重要警報情報送信部を有する。遠隔監視・操作装置２０は、遠隔ネットワーク４を介して重要警報情報を受信する重要警報情報受信部２１５と、複数の監視・制御システムより受信した重要警報情報を集約表示する画面情報を出力する重要警報情報画面管理部２１６とを有する。【選択図】図１
2017059131.tif 000002
【特許請求の範囲】
【請求項１】
プラントの制御を行う制御装置、前記制御装置に接続された制御ネットワーク、及び前記制御ネットワークを介して前記制御装置に接続することにより前記プラントを監視・操作する監視・操作装置をそれぞれ備えた複数の監視・制御システムと、
前記複数の監視・制御システム内の前記監視・操作装置に接続された遠隔ネットワークと、
前記遠隔ネットワークを介して前記複数の監視・制御システム内の前記監視・操作装置にリモートデスクトップ接続することにより前記プラントを遠隔より監視・操作する遠隔監視・操作装置と、を有するプラント遠隔監視制御システムであって、
前記監視・操作装置は、前記遠隔ネットワークを介して自身の属する監視・制御システムの重要情報を送信する重要情報送信部を有し、
前記遠隔監視・操作装置は、前記遠隔ネットワークを介して前記重要情報を受信する重要情報受信部と、前記複数の監視・制御システムより受信した前記重要情報を集約表示する画面情報を出力する重要情報画面管理部と、を有することを特徴とするプラント遠隔監視制御システム。
【請求項２】
前記重要情報は、前記プラント内において対象とする機器の重要警報情報又は重要プロセス情報のいずれかであることを特徴とする請求項１に記載のプラント遠隔監視制御システム。
【請求項３】
プラントの制御を行う制御装置、前記制御装置に接続された制御ネットワーク、及び前記制御ネットワークを介して前記制御装置に接続することにより前記プラントを監視・操作する監視・操作装置をそれぞれ備えた複数の監視・制御システムと、
前記複数の監視・制御システム内の前記監視・操作装置に接続された遠隔ネットワークと、
前記遠隔ネットワークを介して前記複数の監視・制御システム内の前記監視・操作装置にリモートデスクトップ接続することにより前記プラントを遠隔より監視・操作する遠隔監視・操作装置と、を有するプラント遠隔監視制御システムであって、
前記遠隔監視・操作装置は、前記遠隔ネットワークを介して自身が直接表示する画面における操作要求を送信する操作要求送信部を有し、前記監視・操作装置は、前記遠隔ネットワークを介して前記操作要求を受信することを特徴とするプラント遠隔監視制御システム。
【請求項４】
前記監視・操作装置は、前記操作要求を受信して自身が表示する画面に対する操作として反映する画面操作要求反映部を有することを特徴とする請求項３に記載のプラント遠隔監視制御システム。
【請求項５】
前記監視・操作装置は、前記操作要求を受信して前記制御ネットワークを介して前記制御装置へプラント操作要求を送信するプラント操作要求中継部を有することを特徴とする請求項３に記載のプラント遠隔監視制御システム。
【請求項６】
前記監視・操作装置は、前記操作要求を受信して自身におけるプラント操作権限を変更するプラント操作権限変更部を有することを特徴とする請求項３又は４に記載のプラント遠隔監視制御システム。
【請求項７】
プラントの制御を行う制御装置、前記制御装置に接続された制御ネットワーク、及び前記制御ネットワークを介して前記制御装置に接続することにより前記プラントを監視・操作する監視・操作装置をそれぞれ備えた複数の監視・制御システムと、
前記複数の監視・制御システム内の前記監視・操作装置に接続された遠隔ネットワークと、
前記遠隔ネットワークを介して前記複数の監視・制御システム内の前記監視・操作装置にリモートデスクトップ接続することにより前記プラントを遠隔より監視・操作する遠隔監視・操作装置と、を有するプラント遠隔監視制御システムであって、
前記監視・操作装置は、前記遠隔ネットワークを介して自身がリモートデスクトップ接続されて表示する画面における操作要求を送信する操作要求送信部を有し、前記遠隔監視・操作装置は、前記遠隔ネットワークを介して前記操作要求を受信することを特徴とするプラント遠隔監視制御システム。
【請求項８】
前記遠隔監視・操作装置は、前記操作要求を受信して自身が表示する画面に対する操作として反映する画面操作要求反映部を有することを特徴とする請求項７に記載のプラント遠隔監視制御システム。
【請求項９】
前記監視・操作装置は、前記遠隔ネットワークを介して前記操作要求を受信して自身が表示する画面に対する操作として反映する画面操作要求反映部をさらに有し、
前記遠隔監視・操作装置は、前記操作要求を受信し、前記遠隔ネットワークを介して監視・制御システム内の監視・操作装置に転送する操作要求中継部を有することを特徴とする請求項７又は８に記載のプラント遠隔監視制御システム。
【請求項１０】
前記監視・操作装置は、前記遠隔ネットワークを介して前記操作要求を受信して前記制御ネットワークを介して前記制御装置へとプラント操作要求を送信するプラント操作要求中継部をさらに有し、
前記遠隔監視・操作装置は、前記操作要求を受信し、前記遠隔ネットワークを介して監視・制御システム内の監視・操作装置に転送する操作要求中継部を有することを特徴とする請求項７に記載のプラント遠隔監視制御システム。
【請求項１１】
前記監視・操作装置は、前記遠隔ネットワークを介して前記操作要求を受信して自身におけるプラント操作権限を変更するプラント操作権限変更部をさらに有し、
前記遠隔監視・操作装置は、前記操作要求を受信し、前記遠隔ネットワークを介して監視・制御システム内の監視・操作装置に転送する操作要求中継部を有することを特徴とする請求項７に記載のプラント遠隔監視制御システム。
【請求項１２】
プラントの制御を行う制御装置、前記制御装置に接続された制御ネットワーク、及び前記制御ネットワークを介して前記制御装置に接続することにより前記プラントを監視・操作する監視・操作装置をそれぞれ備えた複数の監視・制御システムと、
前記複数の監視・制御システム内の前記監視・操作装置に接続された遠隔ネットワークと、
前記遠隔ネットワークを介して前記複数の監視・制御システム内の前記監視・操作装置にリモートデスクトップ接続することにより前記プラントを遠隔より監視・操作する遠隔監視・操作装置と、を有するプラント遠隔監視制御システムにより前記プラントを遠隔にて監視制御するプラント遠隔監視制御方法であって、
前記監視・操作装置の重要情報送信部が、前記遠隔ネットワークを介して自身の属する監視・制御システムの重要情報を送信する重要情報送信工程と、
前記遠隔監視・操作装置の重要情報受信部が、前記遠隔ネットワークを介して前記重要情報を受信する重要情報受信工程と、
前記遠隔監視・操作装置の重要情報画面管理部が、前記複数の監視・制御システムより受信した前記重要情報を集約表示する画面情報を出力する重要情報画面管理工程と、
を有することを特徴とするプラント遠隔監視制御方法。
【発明の詳細な説明】
【技術分野】
【０００１】
本発明の実施形態は、プラントの監視制御を行う装置とネットワークを介して接続された遠隔監視制御装置により遠隔でプラントの監視制御を行うプラント遠隔監視制御システム及び方法に関する。
【背景技術】
【０００２】
図２６に従来のプラント遠隔監視制御システムの構成図を示す。
【０００３】
図２６に示すように、従来のプラント遠隔監視制御システムは、遠隔ネットワーク４に、遠隔監視・操作装置２０と監視・制御システム７〜７ｎとを接続して構成されている。監視・制御システム７〜７ｎは、制御ネットワーク３〜３ｎに、制御装置２〜２ｎと監視・操作装置１０〜１０ｎとを接続して構成されている。また、同監視・制御システム７〜７ｎは、遠隔ネットワーク４に、監視・操作装置１０が接続されている。
【０００４】
遠隔監視・操作装置２０による遠隔監視制御を実現するための方法の一つとして、離れた場所に設置された計算機装置を他の計算機装置を用いて操作するリモートデスクトップシステム（例えば、Ｗｉｎｄｏｗｓ（登録商標）系のＯＳで用いられる「リモートデスクトップ」システム）がある。
【０００５】
このように構成されたプラント遠隔監視制御システムにおいて、監視・操作装置１０〜１０ｎのいずれかで制御対象となる補機の操作を行うと、操作指令が制御ネットワーク３を経由して該当する制御装置２〜２ｎに伝わり、プラント１に対して操作指令を出力する。プラント１の状態情報は、制御装置２〜２ｎに入力され、制御ネットワーク３〜３ｎを経由して監視・操作装置１０〜１０ｎに表示される。
【０００６】
また、遠隔監視・操作装置２０より監視・制御システム７〜７ｎの監視・操作装置１０〜１０ｎのいずれかにリモートデスクトップ接続を行うと、遠隔ネットワーク４を経由して該当する監視・操作装置１０〜１０ｎの表示内容が遠隔監視・操作装置２０に伝わり、遠隔監視・操作装置２０にてその表示内容が表示される。また、遠隔ネットワーク４を経由して遠隔監視・操作装置２０の操作内容が該当する監視・操作装置１０〜１０ｎに伝わり、該当する監視・操作装置１０〜１０ｎにてその操作内容と同等のことが行われる。
【０００７】
したがって、リモートデスクトップ接続を行うことにより、プラント１の状態情報は、制御装置２〜２ｎ、制御ネットワーク３〜３ｎ、監視・操作装置１０〜１０ｎ、及び遠隔ネットワーク４を経由して、遠隔監視・操作装置２０に表示される。また、遠隔監視・操作装置２０から制御対象となる補機の操作を行うと、遠隔ネットワーク４、監視・操作装置１０〜１０ｎ、及び制御ネットワーク３〜３ｎを経由し、該当する制御装置２〜２ｎを経由して、プラント１に対して操作指令を出力する。
【先行技術文献】
【特許文献】
【０００８】
【特許文献１】特許第５３８０１５５号公報
【発明の概要】
【発明が解決しようとする課題】
【０００９】
ところで、従来のプラント遠隔監視制御システムを大規模なプラントに適用する場合、制御装置２〜２ｎ、制御ネットワーク３〜３ｎ及び監視・操作装置１０〜１０ｎに求められる処理性能を抑えてコストダウンするため、監視・制御システム７〜７ｎが対象とするプラント１を区域や機器等で分割する構成とすることがある。また、分割することにより、その分割単位での保守が行いやすくなるため、保守性を向上させるために分割する構成とすることがある。
【００１０】
このような構成において、遠隔監視・操作装置２０では、各監視・制御システム７〜７ｎ内の監視・操作装置１０〜１０ｎと同等の画面を表示することができ、プラント１全体の監視・操作を行うことが可能ではあるが、この場合、各監視・制御システム７〜７ｎが提供する画面をそれぞれ独立して表示するだけであるため、プラント１全体の状況を把握しにくいという問題があった。
【００１１】
本実施形態が解決しようとする課題は、監視・制御システムが分割されているプラントにおいて、プラント全体の状況が把握しやすいプラント遠隔監視制御システム及び方法を提供することにある。
【課題を解決するための手段】
【００１２】
上記課題を解決するために、本実施形態に係るプラント遠隔監視制御システムは、プラントの制御を行う制御装置、前記制御装置に接続された制御ネットワーク、及び前記制御ネットワークを介して前記制御装置に接続することにより前記プラントを監視・操作する監視・操作装置をそれぞれ備えた複数の監視・制御システムと、前記複数の監視・制御システム内の前記監視・操作装置に接続された遠隔ネットワークと、前記遠隔ネットワークを介して前記複数の監視・制御システム内の前記監視・操作装置にリモートデスクトップ接続することにより前記プラントを遠隔より監視・操作する遠隔監視・操作装置と、を有するプラント遠隔監視制御システムであって、前記監視・操作装置は、前記遠隔ネットワークを介して自身の属する監視・制御システムの重要情報を送信する重要情報送信部を有し、前記遠隔監視・操作装置は、前記遠隔ネットワークを介して前記重要情報を受信する重要情報受信部と、前記複数の監視・制御システムより受信した前記重要情報を集約表示する画面情報を出力する重要情報画面管理部と、を有することを特徴とする。
【００１３】
本実施形態に係るプラント遠隔監視制御システムは、プラントの制御を行う制御装置、前記制御装置に接続された制御ネットワーク、及び前記制御ネットワークを介して前記制御装置に接続することにより前記プラントを監視・操作する監視・操作装置をそれぞれ備えた複数の監視・制御システムと、前記複数の監視・制御システム内の前記監視・操作装置に接続された遠隔ネットワークと、前記遠隔ネットワークを介して前記複数の監視・制御システム内の前記監視・操作装置にリモートデスクトップ接続することにより前記プラントを遠隔より監視・操作する遠隔監視・操作装置と、を有するプラント遠隔監視制御システムであって、前記遠隔監視・操作装置は、前記遠隔ネットワークを介して自身が直接表示する画面における操作要求を送信する操作要求送信部を有し、前記監視・操作装置は、前記遠隔ネットワークを介して前記操作要求を受信することを特徴とする。
【００１４】
本実施形態に係るプラント遠隔監視制御システムは、プラントの制御を行う制御装置、前記制御装置に接続された制御ネットワーク、及び前記制御ネットワークを介して前記制御装置に接続することにより前記プラントを監視・操作する監視・操作装置をそれぞれ備えた複数の監視・制御システムと、前記複数の監視・制御システム内の前記監視・操作装置に接続された遠隔ネットワークと、前記遠隔ネットワークを介して前記複数の監視・制御システム内の前記監視・操作装置にリモートデスクトップ接続することにより前記プラントを遠隔より監視・操作する遠隔監視・操作装置と、を有するプラント遠隔監視制御システムであって、前記監視・操作装置は、前記遠隔ネットワークを介して自身がリモートデスクトップ接続されて表示する画面における操作要求を送信する操作要求送信部を有し、前記遠隔監視・操作装置は、前記遠隔ネットワークを介して前記操作要求を受信することを特徴とする。
【００１５】
本実施形態のプラント遠隔監視制御方法は、プラントの制御を行う制御装置、前記制御装置に接続された制御ネットワーク、及び前記制御ネットワークを介して前記制御装置に接続することにより前記プラントを監視・操作する監視・操作装置をそれぞれ備えた複数の監視・制御システムと、前記複数の監視・制御システム内の前記監視・操作装置に接続された遠隔ネットワークと、前記遠隔ネットワークを介して前記複数の監視・制御システム内の前記監視・操作装置にリモートデスクトップ接続することにより前記プラントを遠隔より監視・操作する遠隔監視・操作装置と、を有するプラント遠隔監視制御システムにより前記プラントを遠隔にて監視制御するプラント遠隔監視制御方法であって、前記監視・操作装置の重要情報送信部が、前記遠隔ネットワークを介して自身の属する監視・制御システムの重要情報を送信する重要情報送信工程と、前記遠隔監視・操作装置の重要情報受信部が、前記遠隔ネットワークを介して前記重要情報を受信する重要情報受信工程と、前記遠隔監視・操作装置の重要情報画面管理部が、前記複数の監視・制御システムより受信した前記重要情報を集約表示する画面情報を出力する重要情報画面管理工程と、を有することを特徴とする。
【発明の効果】
【００１６】
本実施形態によれば、監視・制御システムが分割されているプラントにおいて、プラント全体の状況が把握しやすくなる。
【図面の簡単な説明】
【００１７】
【図１】第１実施形態に係るプラント遠隔監視制御システムにおける遠隔監視・操作装置の構成及び処理フローを示すブロック図である。
【図２】第１実施形態に係るプラント遠隔監視制御システムにおける監視・操作装置の構成及び処理フローを示すブロック図である。
【図３】第１実施形態に係るプラント遠隔監視制御システムにおける遠隔監視・操作装置の表示画面例を示す図である。
【図４】第２実施形態に係るプラント遠隔監視制御システムにおける遠隔監視・操作装置の構成及び処理フローを示すブロック図である。
【図５】第２実施形態に係るプラント遠隔監視制御システムにおける監視・操作装置の構成及び処理フローを示すブロック図である。
【図６】第２実施形態に係るプラント遠隔監視制御システムにおける遠隔監視・操作装置の表示画面例を示す図である。
【図７】第３実施形態に係るプラント遠隔監視制御システムにおける遠隔監視・操作装置の構成及び処理フローを示すブロック図である。
【図８】第３実施形態に係るプラント遠隔監視制御システムにおける監視・操作装置の構成及び処理フローを示すブロック図である。
【図９】第３実施形態に係るプラント遠隔監視制御システムにおける遠隔監視・操作装置の表示画面例を示す図である。
【図１０】第４実施形態に係るプラント遠隔監視制御システムにおける監視・操作装置の構成及び処理フローを示すブロック図である。
【図１１】第４実施形態に係るプラント遠隔監視制御システムにおける遠隔監視・操作装置の表示画面例を示す図である。
【図１２】第５実施形態に係るプラント遠隔監視制御システムにおける監視・操作装置の構成及び処理フローを示すブロック図である。
【図１３】第５実施形態に係るプラント遠隔監視制御システムにおける遠隔監視・操作装置の表示画面例を示す図である。
【図１４】第６実施形態に係るプラント遠隔監視制御システムにおける遠隔監視・操作装置の構成及び処理フローを示すブロック図である。
【図１５】第６実施形態に係るプラント遠隔監視制御システムにおける監視・操作装置の構成及び処理フローを示すブロック図である。
【図１６】第６実施形態に係るプラント遠隔監視制御システムにおける遠隔監視・操作装置の第１表示画面例を示す図である。
【図１７】第６実施形態に係るプラント遠隔監視制御システムにおける遠隔監視・操作装置の第２表示画面例を示す図である。
【図１８】第７実施形態に係るプラント遠隔監視制御システムにおける遠隔監視・操作装置の構成及び処理フローを示すブロック図である。
【図１９】第７実施形態に係るプラント遠隔監視制御システムにおける監視・操作装置の構成及び処理フローを示すブロック図である。
【図２０】第７実施形態に係るプラント遠隔監視制御システムにおける遠隔監視・操作装置の第１表示画面例を示す図である。
【図２１】第７実施形態に係るプラント遠隔監視制御システムにおける遠隔監視・操作装置の第２表示画面例を示す図である。
【図２２】第８実施形態に係るプラント遠隔監視制御システムにおける監視・操作装置の構成及び処理フローを示すブロック図である。
【図２３】第８実施形態に係るプラント遠隔監視制御システムにおける遠隔監視・操作装置の表示画面例を示す図である。
【図２４】第９実施形態に係るプラント遠隔監視制御システムにおける監視・操作装置の構成及び処理フローを示すブロック図である。
【図２５】第９実施形態に係るプラント遠隔監視制御システムにおける遠隔監視・操作装置の表示画面例を示す図である。
【図２６】従来のプラント監視制御システムの構成例を示すブロック図である。
【発明を実施するための形態】
【００１８】
以下、本実施形態に係るプラント遠隔監視制御システムについて、図面を参照して説明する。
【００１９】
（第１実施形態）
（プラント遠隔監視制御システムの構成）
図１は第１実施形態に係るプラント遠隔監視制御システムにおける遠隔監視・操作装置の構成及び処理フローを示すブロック図である。図２は第１実施形態に係るプラント遠隔監視制御システムにおける監視・操作装置の構成及び処理フローを示すブロック図である。図３は第１実施形態に係るプラント遠隔監視制御システムにおける遠隔監視・操作装置の表示画面例を示す図である。
【００２０】
なお、以下の各実施形態では、図２６に示す構成と同一の部分に同一の符号を用いて説明する。また、図１及び図２は、図２６に示す構成例のプラント監視制御システムにおける遠隔監視・操作装置２０と監視・操作装置１０の処理フロー例の第１実施形態を示すものである。
【００２１】
図１において、画面表示機器２１と操作入力機器２２は、遠隔監視・操作装置２０に付随する機器である。画面表示機器２１は、遠隔監視・操作装置２０の操作者に文字や画像等により情報を提示する機能を有するモニタ等の機器である。他方、操作入力機器２２は、操作者が遠隔監視・操作装置２０を操作する機能を有するキーボードやマウス等の機器である。
【００２２】
遠隔監視・操作装置２０は、画面表示部２０１と、操作入力部２０２と、リモートデスクトップクライアント部２０４と、重要情報受信部としての重要警報情報受信部２１５と、重要情報画面管理部としての重要警報情報画面管理部２１６とによって構成される。なお、重要警報情報受信部２１５と重要警報情報画面管理部２１６の構成は、後述する。
【００２３】
画面表示部２０１は、遠隔監視・操作装置２０が操作者に提示すべき情報を画面表示機器２１に出力する機能を提供する。操作入力部２０２は、操作者の遠隔監視・操作装置２０への操作要求を操作入力機器２２より入力する機能を提供する。リモートデスクトップクライアント部２０４は以下の三つの機能を提供する。
【００２４】
（１）リモートデスクトップ接続していない状況において、操作者よりの監視・操作装置１０へのリモートデスクトップ接続要求を操作入力機器２２及び操作入力部２０２を介して入力し、リモートデスクトップ接続要求を監視・操作装置１０に向けて遠隔ネットワーク４に出力し、監視・操作装置１０との間でリモートデスクトップ接続を確立する。
【００２５】
（２）監視・操作装置１０とのリモートデスクトップ接続が確立している状況において、監視・操作装置１０が操作者に提示すべき情報を遠隔ネットワーク４より入力し、画面表示部２０１及び画面表示機器２１を介して操作者に出力する。
【００２６】
（３）監視・操作装置１０とのリモートデスクトップ接続が確立している状況において、操作者よりの監視・操作装置１０に向けた操作要求を操作入力機器２２及び操作入力部２０２を介して入力し、操作要求を監視・操作装置１０に向けて遠隔ネットワーク４に出力する。
【００２７】
図２において、画面表示機器１１と操作入力機器１２は、監視・操作装置１０に付随する機器である。画面表示機器１１は、監視・操作装置１０の操作者に文字や画像等により情報を提示する機能を有するモニタ等の機器である。他方、操作入力機器１２は、操作者が監視・操作装置１０を操作する機能を有するキーボードやマウス等の機器である。
【００２８】
監視・操作装置１０は、画面表示部１０１と、操作入力部１０２と、プラント監視操作部１０３と、リモートデスクトップサーバ部１０４と、重要情報送信部としての重要警報情報送信部１１５とによって構成される。なお、重要警報情報送信部１１５の構成は、後述する。また、監視・操作装置１０ａ〜１０ｎの処理フローは、監視・操作装置１０と同様である
画面表示部１０１は、監視・操作装置１０が操作者に提示すべき情報を画面表示機器１１等に出力する機能を提供する。操作入力部１０２は、操作者の監視・操作装置１０への操作要求を操作入力機器１２等より入力する機能を提供する。プラント監視操作部１０３は以下の二つの機能を提供する。
【００２９】
（１）制御装置２より出力されたプラント１の状態情報を制御ネットワーク３を介して入力し、画面表示部１０１を介して操作者に出力する。
【００３０】
（２）操作者よりのプラント１への補機操作要求を操作入力部１０２を介して入力し、プラント補機操作要求を該当する制御装置２〜２ｎに向けて制御ネットワーク３に出力する。
【００３１】
さらに、リモートデスクトップサーバ部１０４は以下の三つの機能を提供する。
【００３２】
（１）リモートデスクトップ接続されていない状況において、遠隔監視・操作装置２０よりのリモートデスクトップ接続要求を遠隔ネットワーク４より入力し、要求元の遠隔監視・操作装置２０との間でリモートデスクトップ接続を確立する。
【００３３】
（２）遠隔監視・操作装置２０とのリモートデスクトップ接続が確立している状況において、監視・操作装置１０が操作者に提示すべき情報を、画面表示部１０１より入力し遠隔ネットワーク４に出力する。
【００３４】
（３）遠隔監視・操作装置２０とのリモートデスクトップ接続が確立している状況において、遠隔監視・操作装置２０の操作者よりの監視・操作装置１０に向けた操作要求を、遠隔ネットワーク４より入力し操作入力部１０２に出力する。
【００３５】
本実施形態では、監視・操作装置１０は、遠隔ネットワーク４を介して自身の属する監視・制御システム７〜７ｎの重要警報情報を送信する重要警報情報送信部１１５を有する。遠隔監視・操作装置２０は、遠隔ネットワーク４を介して重要警報情報を受信する重要警報情報受信部２１５と、複数の監視・制御システム７〜７ｎより受信した重要警報情報を集約表示する画面情報を出力する重要警報情報画面管理部２１６とを有する。
【００３６】
重要警報情報送信部１１５は、ＣＰＵ（中央情報処理装置）及びソフトウェアで実現されている。重要警報情報送信部１１５は、プラント監視操作部１０３よりプラント１の警報情報を取得し、重要警報情報を生成して、この重要警報情報を遠隔ネットワーク４に出力する機能を提供する。
【００３７】
ここで、プラント１の警報情報とは、監視・制御システム７〜７ｎが対象とするプラント１内のボイラ、タービン、又は発電機の故障、火災等による警報情報である。また、重要警報情報を生成するには、例えば警報毎にあらかじめ定めておいた重要度に基づいて重要度の高いもののみを抽出する方法や、警報毎にあらかじめ定めておいたカテゴリに基づいてカテゴリ毎に集約する等の方法により行う。あるいは、これらを組み合わせた方法により重要警報情報を生成するようにしてもよい。
【００３８】
重要警報情報受信部２１５は、ＣＰＵ及びソフトウェアで実現されている。重要警報情報受信部２１５は、重要警報情報送信部１１５から送信された重要警報情報を遠隔ネットワーク４を介して入力する機能を提供する。
【００３９】
重要警報情報画面管理部２１６は、ＣＰＵ及びソフトウェアで実現されている。重要警報情報画面管理部２１６は、重要警報情報を重要警報情報受信部２１５より取得し、重要警報情報に関する画面情報を画面表示部２０１を介して画面表示機器２１にて操作者に出力する機能を提供する。
【００４０】
（プラント遠隔監視制御システムの処理フロー）
このような画面の例を図３に示す。この画面例では、図３に示すように重要警報情報集約画面３１２が画面上部に常に表示され、残りの部分に各監視・制御システム（図３ではユニットに対応）７〜７ｎのリモートデスクトップ画面３１１と、重要警報情報詳細画面３１３が表示されている。リモートデスクトップ画面３１１は、リモートデスクトップクライアント部２０４により表示されている画面である。重要警報情報集約画面３１２と重要警報情報詳細画面３１３は、重要警報情報画面管理部２１６により表示されている画面である。
【００４１】
重要警報情報集約画面３１２では、監視・制御システム７〜７ｎ毎の重要警報情報を集約して「ユニット１警報」等のボタンの背景色を変えるように表示する。例えば、この図３の例では重要警報が一つでも発生していれば赤とし、一つも発生していなければ緑とする。また、重要警報情報集約画面３１２では、監視・制御システム（ユニット）７〜７ｎ全部の重要警報情報を集約して「全体警報」のボタンの背景色を変えるように表示する。
【００４２】
重要警報情報詳細画面３１３では、監視・制御システム（ユニット）７〜７ｎの全ての重要警報情報を「ボイラ」「タービン」の表示窓の背景色を変えるように表示している。例えば、この例では重要警報が発生していれば赤とし、発生していなければ緑とする。なお、図３では、重要警報が発生している赤の表示を砂目模様にて示している。
【００４３】
（プラント遠隔監視制御システムの効果）
本実施形態によれば、複数に分割され、低コストであり保守性が高い監視・制御システム７〜７ｎにおいて、重要警報情報を画面表示機器２１に一つの画面にて表示することにより、プラント１全体の重要警報情報が把握しやすくなる。
【００４４】
また、本実施形態によれば、他の画面に隠れることのない一つの画面に重要警報情報を集約表示することで、プラント１全体の重要警報情報を把握しやすくなる。そのため、重要警報情報の見落としによる誤操作と対応遅れを防止できる。
【００４５】
（第２実施形態）
（プラント遠隔監視制御システムの構成）
図４は第２実施形態に係るプラント遠隔監視制御システムにおける遠隔監視・操作装置の構成及び処理フローを示すブロック図である。図５は第２実施形態に係るプラント遠隔監視制御システムにおける監視・操作装置の構成及び処理フローを示すブロック図である。図６は第２実施形態に係るプラント遠隔監視制御システムにおける遠隔監視・操作装置の表示画面例を示す図である。
【００４６】
なお、本実施形態は、前記第１実施形態の変形例であって、前記第１実施形態と同一の部分又は類似の部分には、同一の符号を付して重複説明を省略する。
【００４７】
本実施形態は、図４に示すように遠隔監視・操作装置２０に重要プロセス情報受信部２１７と、重要プロセス情報画面管理部２１８とが設けられ、図５に示すように監視・操作装置１０に重要プロセス情報送信部１１７が設けられている。なお、監視・操作装置１０ａ〜１０ｎについても監視・操作装置１０と同様である。
【００４８】
本実施形態では、監視・操作装置１０は、遠隔ネットワーク４を介して自身の属する監視・制御システム７〜７ｎの重要プロセス情報を送信する重要情報送信部としての重要プロセス情報送信部１１７を有する。遠隔監視・操作装置２０は、遠隔ネットワーク４を介して重要プロセス情報を受信する重要情報受信部としての重要プロセス情報受信部２１７と、複数の監視・制御システム７〜７ｎより受信した重要プロセス情報を集約表示する画面情報を出力する重要情報画面管理部としての重要プロセス情報画面管理部２１８とを有する。
【００４９】
重要プロセス情報送信部１１７は、ＣＰＵ及びソフトウェアで実現されている。重要プロセス情報送信部１１７は、プラント監視操作部１０３よりプラント１のプロセス値等の情報を取得し、重要プロセス情報を生成して、この重要プロセス情報を遠隔ネットワーク４に出力する機能を提供する。
【００５０】
ここで、プラント１のプロセス値情報とは、監視・制御システム７〜７ｎが対象とするプラント１内の蒸気タービン（ＳＴ）発電量、ＳＴ回転数、ガスタービン（ＧＴ）（Ａ）発電量、ＧＴ（Ａ）回転数、ＧＴ（Ｂ）発電量、ＧＴ（Ｂ）回転数等である。また、重要プロセス情報を生成するには、例えばプロセス値毎にあらかじめ定めておいた重要度に基づいて重要度の高いもののみを抽出する方法や、プロセス値毎にあらかじめ定めておいたカテゴリやルールに基づいてカテゴリ毎の合計値や平均値を計算する等の方法により行う。あるいは、これらを組み合わせた方法により重要プロセス情報を生成するようにしてもよい。
【００５１】
重要プロセス情報受信部２１７は、ＣＰＵ及びソフトウェアで実現されている。重要プロセス情報受信部２１７は、重要プロセス情報を遠隔ネットワーク４を介して入力する機能を提供する。
【００５２】
重要プロセス情報画面管理部２１８は、ＣＰＵ及びソフトウェアで実現されている。重要プロセス情報画面管理部２１８は、重要プロセス情報を重要プロセス情報受信部２１７より取得し、重要プロセス情報に関する画面情報を画面表示部２０１を介して画面表示機器２１にて操作者に出力する。
【００５３】
（プラント遠隔監視制御システムの処理フロー）
このような画面の例を図６に示す。この画面例では、図６に示すように重要プロセス情報集約画面３１４が画面上部に常に表示され、残りの部分に各監視・制御システム（ユニット）７〜７ｎのリモートデスクトップ画面３１１と、重要プロセス情報詳細画面３１５が表示されている。リモートデスクトップ画面３１１は、リモートデスクトップクライアント部２０４により表示されている画面である。重要プロセス情報集約画面３１４と重要プロセス情報詳細画面３１５は、重要プロセス情報画面管理部２１８により表示されている画面である。
【００５４】
重要プロセス情報集約画面３１４では、監視・制御システム７〜７ｎ毎の重要プロセス情報から合計発電量を計算して「ユニット１発電量」等を表示している。また、重要プロセス情報集約画面３１４では、監視・制御システム７〜７ｎ全部の重要プロセス情報から合計発電量を計算して「総発電量」を表示している。
【００５５】
重要プロセス情報詳細画面３１５では、監視・制御システム(ユニット)７〜７ｎの全ての重要プロセス情報である蒸気タービン（ＳＴ）とガスタービン（ＧＴ）の発電量及び回転数を表示している。
【００５６】
（プラント遠隔監視制御システムの効果）
本実施形態によれば、複数に分割され、低コストであり保守性が高い監視・制御システム７〜７ｎにおいて、重要プロセス情報を画面表示機器２１に一つの画面にて表示することにより、プラント１全体の重要プロセス情報が把握しやすくなる。
【００５７】
また、本実施形態によれば、他の画面に隠れることのない一つの画面に重要プロセス情報を集約表示することで、プラント１全体の重要プロセス情報を把握しやすくなる。そのため、重要プロセス情報の見落としによる誤操作と対応遅れを防止できる。
【００５８】
（第３実施形態）
（プラント遠隔監視制御システムの構成）
図７は第３実施形態に係るプラント遠隔監視制御システムにおける遠隔監視・操作装置の構成及び処理フローを示すブロック図である。図８は第３実施形態に係るプラント遠隔監視制御システムにおける監視・操作装置の構成及び処理フローを示すブロック図である。図９は第３実施形態に係るプラント遠隔監視制御システムにおける遠隔監視・操作装置の表示画面例を示す図である。
【００５９】
なお、本実施形態は、前記第１実施形態の変形例であって、前記第１実施形態と同一の部分又は類似の部分には、同一の符号を付して重複説明を省略する。
【００６０】
本実施形態では、図７に示すように遠隔監視・操作装置２０に操作要求送信部２１９が設けられ、図８に示すように監視・操作装置１０に画面操作要求反映部１２０が設けられている。なお、監視・操作装置１０ａ〜１０ｎについても監視・操作装置１０と同様である
本実施形態では、遠隔監視・操作装置２０は、遠隔ネットワーク４を介して自身が直接表示する画面における操作者の操作要求を送信する操作要求送信部２１９を有する。監視・操作装置１０は、遠隔ネットワーク４を介して操作要求を受信して自身が表示する画面に対する操作として反映する画面操作要求反映部１２０を有する。
【００６１】
操作要求送信部２１９は、ＣＰＵ及びソフトウェアで実現されている。操作要求送信部２１９は、操作者よりの監視・操作装置１０への操作要求情報を操作入力機器２２及び操作入力部２０２を介して入力し、その操作要求情報を監視・操作装置１０に向けて遠隔ネットワーク４に出力する機能を提供する。
【００６２】
画面操作要求反映部１２０は、ＣＰＵ及びソフトウェアで実現されている。画面操作要求反映部１２０は、操作要求情報を遠隔ネットワーク４を介して入力し、その操作要求情報に基づいて、画面構成の変更等を画面表示部１０１に要求する機能を提供する。ここで、画面構成の変更とは、例えば、特定の１画面を画面表示機器１１の全体に表示するとか、全ての画面を画面表示機器１１にタイル状に並べて表示するとか、特定の１画面を閉じるとか、新しい画面を表示するといったものである。
【００６３】
（プラント遠隔監視制御システムの処理フロー）
例えば、遠隔監視・操作装置２０の画面表示部２０１を介して画面表示機器２１に図９に示すような画面が表示されているとする。各監視・制御システム(ユニット)７〜７ｎのリモートデスクトップ画面３１１には、各ユニットの概況を示す系統図画面が表示されている。
【００６４】
画面上部に常に表示されている重要警報情報集約画面３１２の「ユニット１警報」ボタンを押した際には、操作要求送信部２１９は「警報リスト表示」の操作要求をユニット１に対応する監視・制御システム７の監視・操作装置１０に向けて遠隔ネットワーク４に出力する。
【００６５】
この「警報リスト表示」の操作要求を受けた画面操作要求反映部１２０は、警報の一覧画面を表示するように画面表示部１０１に要求し、この結果リモートデスクトップサーバ部１０４、遠隔ネットワーク４、及びリモートデスクトップクライアント部２０４を介して、遠隔監視・操作装置２０において監視・制御システム７(ユニット１)のリモートデスクトップ画面３１１に警報の一覧画面が表示される。
【００６６】
また、重要警報情報集約画面３１２の「全体警報」ボタンを押した際には、操作要求送信部２１９は「警報リスト表示」の操作要求を全監視・制御システム（ユニット）７〜７ｎの監視・操作装置１０に向けて遠隔ネットワーク４に出力する。この結果、「ユニット１警報」ボタンを押した場合と同様のことが全監視・操作装置１０〜１０ｎで行われ、遠隔監視・操作装置２０において図９に示すように全監視・制御システム（ユニット）７〜７ｎのリモートデスクトップ画面３１１に警報の一覧画面が表示される。
【００６７】
（プラント遠隔監視制御システムの効果）
本実施形態によれば、複数に分割され、低コストであり保守性が高い監視・制御システム７〜７ｎにおいて、画面操作を一つの操作により一括して行えるようにすることにより、プラント１の監視を運転員が効率的に行えるようになる。
【００６８】
また、本実施形態によれば、このような操作を他の画面に隠れることのない画面より行えるようにすることにより、対象となる監視・制御システム７〜７ｎの画面切り替えを行わずに画面を表示できるようになり、プラント１の監視を運転員が効率的に行えるようになる。そのため、対象となっている監視・制御システム７〜７ｎの勘違いによる誤監視を防止できる。
【００６９】
（第４実施形態）
（プラント遠隔監視制御システムの構成）
図１０は第４実施形態に係るプラント遠隔監視制御システムにおける監視・操作装置の構成及び処理フローを示すブロック図である。図１１は第４実施形態に係るプラント遠隔監視制御システムにおける遠隔監視・操作装置の表示画面例を示す図である。
【００７０】
なお、本実施形態は、前記第３実施形態の変形例であって、前記第３実施形態と同一の部分又は類似の部分には、同一の符号を付して重複説明を省略する。また、遠隔監視・操作装置２０の構成は、図７に示す第３実施形態の遠隔監視・操作装置２０と同様であるので、図示を省略する。
【００７１】
本実施形態では、図１０に示すように監視・操作装置１０にプラント操作要求中継部１２１が設けられている。なお、監視・操作装置１０ａ〜１０ｎについても監視・操作装置１０と同様である。
【００７２】
本実施形態では、前記第３実施形態と同様に、遠隔監視・操作装置２０は、遠隔ネットワーク４を介して自身が直接表示する画面における操作者の操作要求を送信する操作要求送信部２１９を有する。監視・操作装置１０は、遠隔ネットワーク４を介して操作要求を受信して制御ネットワーク３を介して制御装置２へプラント操作要求を送信するプラント操作要求中継部１２１を有する。
【００７３】
プラント操作要求中継部１２１は、ＣＰＵ及びソフトウェアで実現されている。プラント操作要求中継部１２１は、操作要求を遠隔ネットワーク４を介して入力し、その操作要求に基づき、プラント１への補機操作要求等をプラント監視操作部１０３を介して制御装置２に向けて制御ネットワーク３に出力する機能を提供する。
【００７４】
（プラント遠隔監視制御システムの処理フロー）
遠隔監視・操作装置２０での画面の例を図１１に示す。例えば、遠隔監視・操作装置２０の画面表示部２０１を介して画面表示機器２１に図１１に示すような画面が表示されているとする。各監視・制御システム（ユニット）７〜７ｎのリモートデスクトップ画面３１１には、各ユニットの概況を示す系統図画面が表示されている。
【００７５】
画面上部に常に表示されている重要操作集約画面３１６の「ユニット１強制停止」ボタンを押した際には、遠隔監視・操作装置２０の操作要求送信部２１９は「強制停止」の操作要求をユニット１に対応する監視・制御システム７の監視・操作装置１０に向けて遠隔ネットワーク４に出力する。この「強制停止」の操作要求を受けたプラント操作要求中継部１２１は、主要機器を停止する要求をプラント監視操作部１０３を介して制御装置２に向けて制御ネットワーク３に出力する。この結果、プラント１のうち監視・制御システム７が対象とする主要機器が停止する。
【００７６】
また、重要操作集約画面３１６の「全体強制停止」ボタンを押した際には、操作要求送信部２１９は「強制停止」の操作要求を全監視・制御システム（ユニット）７〜７ｎの監視・操作装置１０に向けて遠隔ネットワーク４に出力する。この結果、「ユニット１強制停止」ボタンを押した場合と同様のことが全監視・操作装置１０〜１０ｎで行われ、プラント１全体の主要機器が停止する。
【００７７】
（プラント遠隔監視制御システムの効果）
本実施形態によれば、複数に分割され、低コストであり保守性が高い監視・制御システム７〜７ｎにおいて、プラント１の操作を一つの操作により一括して行えるようにすることにより、プラント１に対する操作を運転員が効率的に行えるようになる。
【００７８】
また、本実施形態によれば、このような操作を他の画面に隠れることのない画面より行えるようにすることにより、対象となる監視・制御システム７〜７ｎの画面切り替えを行わずにプラント１の操作を行えるようになり、プラント１の操作を運転員が効率的に行えるようになる。そのため、対象となっている監視・制御システム７〜７ｎの勘違いによるプラント１の誤操作を防止できる。
【００７９】
（第５実施形態）
（プラント遠隔監視制御システムの構成）
図１２は第５実施形態に係るプラント遠隔監視制御システムにおける監視・操作装置の構成及び処理フローを示すブロック図である。図１３は第５実施形態に係るプラント遠隔監視制御システムにおける遠隔監視・操作装置の表示画面例を示す図である。
【００８０】
なお、本実施形態は、前記第３実施形態の変形例であって、前記第３実施形態と同一の部分又は類似の部分には、同一の符号を付して重複説明を省略する。また、遠隔監視・操作装置２０の構成は、図７に示す第３実施形態の遠隔監視・操作装置２０と同様であるので、図示を省略する。
【００８１】
本実施形態では、図１２に示すように監視・操作装置１０にプラント操作権限変更部１２２が設けられている。なお、監視・操作装置１０ａ〜１０ｎについても監視・操作装置１０と同様である。
【００８２】
本実施形態では、前記第３実施形態と同様に、遠隔監視・操作装置２０は、遠隔ネットワーク４を介して自身が直接表示する画面における操作者の操作要求を送信する操作要求送信部２１９を有する。監視・操作装置１０は、遠隔ネットワーク４を介して操作要求を受信して自身におけるプラント操作権限を変更するプラント操作権限変更部１２２を有する。
【００８３】
プラント操作権限変更部１２２は、ＣＰＵ及びソフトウェアで実現されている。プラント操作権限変更部１２２は、操作権限変更要求を遠隔ネットワーク４を介して入力し、その操作権限変更要求に基づいて、プラント操作権限の変更をプラント監視操作部１０３に要求する機能を提供する。
【００８４】
プラント監視操作部１０３は、プラント操作権限が許可状態の場合、プラント１への補機操作要求等を操作入力部１０２等から受けた際に制御装置２に向けて制御ネットワーク３に出力する。しかし、プラント操作権限が禁止状態の場合には、プラント１への補機操作要求等を操作入力部１０２等から受けても制御ネットワーク３に出力しない。
【００８５】
（プラント遠隔監視制御システムの処理フロー）
例えば、遠隔監視・操作装置２０の画面表示部２０１を介して画面表示機器２１に図１３に示すような画面が表示されているとする。各監視・制御システム（ユニット）７〜７ｎのリモートデスクトップ画面３１１には、各ユニットの概況を示す系統図画面が表示されている。
【００８６】
画面上部に常に表示されているプラント操作権限変更画面３１７の「ユニット１操作許可」ボタンを押した際には、操作要求送信部２１９は「操作許可」の操作要求をユニット１に対応する監視・制御システム７の監視・操作装置１０に向けて遠隔ネットワーク４に出力する。この「操作許可」の操作要求を受けたプラント操作権限変更部１２２は、プラント操作権限を許可状態とする要求をプラント監視操作部１０３に出力する。この要求を受けたプラント監視操作部１０３は、プラント操作権限を許可状態とする。
【００８７】
これにより、遠隔監視・操作装置２０では、ユニット１のリモートデスクトップ画面３１１にて各監視・制御システム７(ユニット１)を介してプラント１の操作を行えるようになる。
【００８８】
また、プラント操作権限変更画面３１７の「全体操作禁止」ボタンを押した際には、操作要求送信部２１９は「操作禁止」の操作要求を全監視・制御システム（ユニット）７〜７ｎの監視・操作装置１０に向けて遠隔ネットワーク４に出力する。この「操作禁止」の操作要求を受けたプラント操作権限変更部１２２は、プラント操作権限を禁止状態とする要求をプラント監視操作部１０３に出力する。この要求を受けたプラント監視操作部１０３は、プラント操作権限を禁止状態とするとともに、実施中のプラント操作があれば中止する。同様のことが他の監視・操作装置１０ａ〜１０ｎでも行われる。この結果、遠隔監視・操作装置２０では、全てのユニットのリモートデスクトップ画面３１１にて監視・制御システム(ユニット)７〜７ｎを介したプラント操作を行えなくなる。
【００８９】
（プラント遠隔監視制御システムの効果）
本実施形態によれば、複数に分割され、低コストであり保守性が高い監視・制御システム７〜７ｎにおいて、操作権限変更を一つの操作により一括して行えるようにすることにより、プラント１に対する操作を運転員が効率的に行えるようになる。
【００９０】
また、本実施形態によれば、このような操作を他の画面に隠れることのない画面より行えるようにすることにより、対象となる監視・制御システム７〜７ｎの画面切り替えを行わずにプラント１の操作を行えるようになり、プラント１の操作を運転員が効率的に行えるようになる。そのため、対象となっている監視・制御システム７〜７ｎの勘違いによるプラント１の誤操作を防止できる。
【００９１】
なお、本実施形態は、前記第３実施形態と組み合わせて、表示する画面を切り替えるのに合わせてプラント操作権限を禁止状態とするようにしてもよい。
【００９２】
（第６実施形態）
（プラント遠隔監視制御システムの構成）
図１４は第６実施形態に係るプラント遠隔監視制御システムにおける遠隔監視・操作装置の構成及び処理フローを示すブロック図である。図１５は第６実施形態に係るプラント遠隔監視制御システムにおける監視・操作装置の構成及び処理フローを示すブロック図である。図１６は第６実施形態に係るプラント遠隔監視制御システムにおける遠隔監視・操作装置の第１表示画面例を示す図である。図１７は第６実施形態に係るプラント遠隔監視制御システムにおける遠隔監視・操作装置の第２表示画面例を示す図である。
【００９３】
なお、本実施形態は、前記第１実施形態の変形例であって、前記第１実施形態と同一の部分又は類似の部分には、同一の符号を付して重複説明を省略する。
【００９４】
本実施形態では、図１４に示すように遠隔監視・操作装置２０に画面操作要求反映部２２３が設けられ、図１５に示すように監視・操作装置１０に操作要求送信部１２３が設けられている。なお、監視・操作装置１０ａ〜１０ｎについても監視・操作装置１０と同様である。
【００９５】
本実施形態では、監視・操作装置１０は、遠隔ネットワーク４を介して自身がリモートデスクトップ接続されて表示する画面における操作者の操作要求を送信する操作要求送信部１２３を有する。遠隔監視・操作装置２０は、遠隔ネットワーク４を介して操作要求を受信して自身が表示する画面に対する操作として反映する画面操作要求反映部２２３を有する。
【００９６】
操作要求送信部１２３は、ＣＰＵ及びソフトウェアで実現されている。操作要求送信部１２３は、操作者よりの操作入力機器２２を用いた遠隔監視・操作装置２０への操作要求を操作入力部２０２、リモートデスクトップクライアント部２０４、リモートデスクトップサーバ部１０４及び操作入力部１０２を介して入力し、その操作要求を遠隔監視・操作装置２０に向けて遠隔ネットワーク４に出力する機能を提供する。
【００９７】
画面操作要求反映部２２３は、ＣＰＵ及びソフトウェアで実現されている。画面操作要求反映部２２３は、操作要求を遠隔ネットワーク４を介して入力し、その操作要求に基づいて、画面構成の変更等を画面表示部２０１に要求する機能を提供する。ここで、画面構成の変更とは、例えば、特定の１画面を画面表示機器２１の全体に表示するとか、全ての画面を画面表示機器１１にタイル状に並べて表示するとか、特定の１画面を閉じるとか、新しい画面を表示するといったものである。
【００９８】
（プラント遠隔監視制御システムの処理フロー）
例えば、遠隔監視・操作装置２０の画面表示部２０１を介して画面表示機器２１に図１６に示すような画面が表示されているとする。各監視・制御システム（ユニット）７〜７ｎのリモートデスクトップ画面３１１には、各ユニットの概況を示す系統図画面が表示されている。
【００９９】
ユニット１のリモートデスクトップ画面３１１の「最大化」ボタンを押した際には、操作入力部２０２、リモートデスクトップクライアント部２０４、遠隔ネットワーク４、リモートデスクトップサーバ部１０４、及び操作入力部１０２を介して、その操作が操作要求送信部１２３に入力される。
【０１００】
これを受けて操作要求送信部１２３は、「最大化」の操作要求を遠隔監視・操作装置２０に向けて遠隔ネットワーク４に出力する。この「最大化」の操作要求を受けた画面操作要求反映部２２３は、ユニット１のリモートデスクトップ画面３１１を画面表示機器２１の全体から重要警報情報集約画面３１２を除いた領域の最前面に表示するように画面表示部２０１に要求することで、図１７に示すようにユニット１のリモートデスクトップ画面３１１が拡大表示される。
【０１０１】
（プラント遠隔監視制御システムの効果）
本実施形態によれば、ある監視・制御システム７〜７ｎにおけるリモートデスクトップ画面３１１内からクライアント自身の画面操作を行えるようにすることにより、プラント１の監視を運転員が効率的に行えるようになる。
【０１０２】
（第７実施形態）
（プラント遠隔監視制御システムの構成）
図１８は第７実施形態に係るプラント遠隔監視制御システムにおける遠隔監視・操作装置の構成及び処理フローを示すブロック図である。図１９は第７実施形態に係るプラント遠隔監視制御システムにおける監視・操作装置の構成及び処理フローを示すブロック図である。図２０は第７実施形態に係るプラント遠隔監視制御システムにおける遠隔監視・操作装置の第１表示画面例を示す図である。図２１は第７実施形態に係るプラント遠隔監視制御システムにおける遠隔監視・操作装置の第２表示画面例を示す図である。
【０１０３】
なお、本実施形態は、前記第６実施形態の変形例であって、前記第６実施形態と同一の部分又は類似の部分には、同一の符号を付して重複説明を省略する。
【０１０４】
本実施形態では、図１８に示すように遠隔監視・操作装置２０に操作要求中継部２２６が設けられ、図１９に示すように監視・操作装置１０に操作要求送信部１２３と、画面操作要求反映部１２０とが設けられている。なお、監視・操作装置１０ａ〜１０ｎについても監視・操作装置１０と同様である。
【０１０５】
本実施形態では、監視・操作装置１０は、遠隔ネットワーク４を介して自身がリモートデスクトップ接続されて表示する画面における操作者の操作要求を送信する操作要求送信部１２３と、遠隔ネットワーク４を介して操作要求を受信して自身が表示する画面に対する操作として反映する画面操作要求反映部１２０を有する。遠隔監視・操作装置２０は、遠隔ネットワーク４を介して操作要求を受信し、遠隔ネットワーク４を介して監視・制御システム７〜７ｎ内の監視・操作装置１０に転送する操作要求中継部２２６を有する。
【０１０６】
操作要求中継部２２６は、ＣＰＵ及びソフトウェアで実現されている。操作要求中継部２２６は、監視・制御システム（ユニット）７〜７ｎの監視・操作装置１０〜１０ｎからの操作要求を遠隔ネットワーク４を介して入力し、その操作要求を監視・制御システム（ユニット）７〜７ｎの監視・制御システム（ユニット）７〜７ｎに向けて遠隔ネットワーク４に出力する。この際、入力元の監視・操作装置１０〜１０ｎと出力先の監視・操作装置１０〜１０ｎとの組み合わせは任意であり、通常は入力元と出力先は異なる。また、出力先の監視・操作装置１０〜１０ｎが複数となる場合もある。
【０１０７】
操作要求送信部１２３は、前記第６実施形態にて示したものと同様の機能を有し、画面操作要求反映部１２０は、前記第３実施形態にて示したものと同様の機能を有している。
【０１０８】
すなわち、操作要求送信部１２３は、操作者よりの操作入力機器２２を用いた遠隔監視・操作装置２０への操作要求を操作入力部２０２、リモートデスクトップ部２０４、リモートデスクトップサーバ部１０４及び操作入力部１０２を介して入力し、その操作要求を遠隔監視・操作装置２０に向けて遠隔ネットワーク４に出力する機能を提供する。
【０１０９】
画面操作要求反映部１２０は、操作要求情報を遠隔ネットワーク４を介して入力し、その操作要求情報に基づいて、画面構成の変更等を画面表示部１０１に要求する機能を提供する。
【０１１０】
（プラント遠隔監視制御システムの処理フロー）
例えば、遠隔監視・操作装置２０の画面表示部２０１を介して画面表示機器２１に図２０に示すような画面が表示されているとする。監視・制御システム７（ユニット１）のリモートデスクトップ画面３１１には、プラント１の全体の給電指令の状況を示す全ユニット給電指令画面が表示されており、その他の監視・制御システム（ユニット）７ａ〜７ｎのリモートデスクトップ画面３１１には、各ユニットの概況を示す系統図画面が表示されている。
【０１１１】
ユニット１のリモートデスクトップ画面３１１の「ユニット２指令」ボタンを押した際には、操作入力部２０２、リモートデスクトップクライアント部２０４、遠隔ネットワーク４、リモートデスクトップサーバ部１０４、及び操作入力部１０２を介して、その操作が操作要求送信部１２３に入力される。
【０１１２】
これを受けて操作要求送信部１２３は、ユニット２を対象とする「給電指令」の操作要求を遠隔監視・操作装置２０に向けて遠隔ネットワーク４に出力する。この「給電指令」の操作要求を受けた操作要求中継部２２６は、「給電指令」の操作要求をユニット２に対応する監視・制御システム７ａの監視・操作装置１０ａに向けて遠隔ネットワーク４に出力する。
【０１１３】
この「給電指令」の操作要求を受けた画面操作要求反映部１２０は、自ユニット内の給電指令の状況を示すユニット２給電指令画面を表示するように画面表示部１０１に要求する。この結果、リモートデスクトップサーバ部１０４、遠隔ネットワーク４、及びリモートデスクトップクライアント部２０４を介して、遠隔監視・操作装置２０において図２１に示すように監視・制御システム７ａ（ユニット２）のリモートデスクトップ画面３１１にユニット２給電指令画面が表示される。
【０１１４】
また、ユニット１のリモートデスクトップ画面３１１の「全ユニット指令」ボタンを押した際には、操作入力部２０２、リモートデスクトップクライアント部２０４、遠隔ネットワーク４、リモートデスクトップサーバ部１０４、及び操作入力部１０２を介して、その操作が操作要求送信部１２３に入力される。
【０１１５】
これを受けて操作要求送信部１２３は、全ユニットを対象とする「給電指令」の操作要求を遠隔監視・操作装置２０に向けて遠隔ネットワーク４に出力する。この「給電指令」の操作要求を受けた操作要求中継部２２６は、「給電指令」の操作要求を全監視・制御システム７〜７ｎの監視・操作装置１０〜１０ｎに向けて遠隔ネットワーク４に出力する。
【０１１６】
この「給電指令」の操作要求を受けた画面操作要求反映部１２０は、自ユニット内の給電指令の状況を示すユニット２給電指令画面を開くように画面表示部１０１に要求する。この結果、リモートデスクトップサーバ部１０４、遠隔ネットワーク４、及びリモートデスクトップクライアント部２０４を介して、遠隔監視・操作装置２０において各監視・制御システム（ユニット）７〜７ｎのリモートデスクトップ画面３１１に各ユニットの給電指令画面が表示される。
【０１１７】
（プラント遠隔監視制御システムの効果）
本実施形態によれば、複数に分割され、低コストであり保守性が高い監視・制御システム７〜７ｎにおいて、ある監視・制御システム７〜７ｎのリモートデスクトップ画面３１１から別の監視・制御システム７〜７ｎのリモートデスクトップ画面３１１の画面操作を行えるようにすることにより、プラント１の監視を運転員が効率的に行えるようになる。
【０１１８】
なお、本実施形態では、前記第６実施形態と組み合わせて、遠隔監視・操作装置２０におけるリモートデスクトップ画面３１１の最大化表示やタイリング表示も合わせて行うことも可能である。
【０１１９】
（第８実施形態）
（プラント遠隔監視制御システムの構成）
図２２は第８実施形態に係るプラント遠隔監視制御システムにおける監視・操作装置の構成及び処理フローを示すブロック図である。図２３は第８実施形態に係るプラント遠隔監視制御システムにおける遠隔監視・操作装置の表示画面例を示す図である。
【０１２０】
なお、本実施形態は、前記第７実施形態の変形例であって、前記第７実施形態と同一の部分又は類似の部分には、同一の符号を付して重複説明を省略する。また、遠隔監視・操作装置２０の構成は、図１８に示す第７実施形態の遠隔監視・操作装置２０と同様であるので、図示を省略する。
【０１２１】
本実施形態では、図２２に示すように監視・操作装置１０に操作要求送信部１２３と、プラント操作要求中継部１２１が設けられている。なお、監視・操作装置１０ａ〜１０ｎについても監視・操作装置１０と同様である。
【０１２２】
本実施形態では、監視・操作装置１０は、遠隔ネットワーク４を介して自身がリモートデスクトップ接続されて表示する画面における操作者の操作要求を送信する操作要求送信部１２３と、遠隔ネットワーク４を介して操作要求を受信して制御ネットワーク３を介して制御装置２へプラント１の操作要求を送信するプラント操作要求中継部１２１を有する。遠隔監視・操作装置２０は、遠隔ネットワーク４を介して操作要求を受信し、遠隔ネットワーク４を介して監視・制御システム７〜７ｎ内の監視・操作装置１０に転送する操作要求中継部２２６を有する。
【０１２３】
操作要求送信部１２３は、前記第６実施形態にて示したものと同様の機能を有し、プラント操作要求中継部１２１は、前記第４実施形態にて示したものと同様の機能を有している。
【０１２４】
すなわち、操作要求送信部１２３は、操作者よりの操作入力機器２２を用いた遠隔監視・操作装置２０への操作要求を操作入力部２０２、リモートデスクトップクライアント部２０４、リモートデスクトップサーバ部１０４及び操作入力部１０２を介して入力し、その操作要求を遠隔監視・操作装置２０に向けて遠隔ネットワーク４に出力する機能を提供する。
【０１２５】
プラント操作要求中継部１２１は、操作要求を遠隔ネットワーク４を介して入力し、その操作要求に基づき、プラント１への補機操作要求等をプラント監視操作部１０３を介して制御装置２に向けて制御ネットワーク３に出力する機能を提供する。
【０１２６】
（プラント遠隔監視制御システムの処理フロー）
例えば、遠隔監視・操作装置２０の画面表示部２０１を介して画面表示機器２１に図２３に示すような画面が表示されているとする。監視・制御システム７(ユニット１)のリモートデスクトップ画面３１１には、プラント全体のＳＴ（蒸気タービン）／ＧＴ（ガスタービン）起動を要求する画面が表示されている。
【０１２７】
ユニット１のリモートデスクトップ画面３１１のユニット２のＧＴ（Ａ）の「起動」ボタンを押した際には、操作入力部２０２、リモートデスクトップクライアント部２０４、遠隔ネットワーク４、リモートデスクトップサーバ部１０４、及び操作入力部１０２を介して、その操作が操作要求送信部１２３に入力される。
【０１２８】
これを受けて操作要求送信部１２３は、ユニット２を対象とする「ＧＴ（Ａ）起動」の操作要求を遠隔監視・操作装置２０に向けて遠隔ネットワーク４に出力する。この「ＧＴ（Ａ）起動」の操作要求を受けた操作要求中継部２２６は、「ＧＴ（Ａ）起動」の操作要求をユニット２に対応する監視・制御システム７ａの監視・操作装置１０ａに向けて遠隔ネットワーク４に出力する。
【０１２９】
この「ＧＴ（Ａ）起動」の操作要求を受けたプラント操作要求中継部１２１は、ガスタービンＡを起動する要求をプラント監視操作部１０３を介して制御装置２に向けて制御ネットワーク３に出力する。この結果、プラント１のうち監視・制御システム７ａ（ユニット２）が対象とするガスタービンＡが起動する。
【０１３０】
また、ユニット１のリモートデスクトップ画面３１１の「全起動」ボタンを押した際には、操作入力部２０２、リモートデスクトップクライアント部２０４、遠隔ネットワーク４、リモートデスクトップサーバ部１０４、及び操作入力部１０２を介して、その操作が操作要求送信部１２３に入力される。
【０１３１】
これを受けて操作要求送信部１２３は、全ユニットを対象とする「全起動」の操作要求を遠隔監視・操作装置２０に向けて遠隔ネットワーク４に出力する。この「全起動」の操作要求を受けた操作要求中継部２２６は、「全起動」の操作要求を全監視・制御システム７〜７ｎの監視・操作装置１０〜１０ｎに向けて遠隔ネットワーク４に出力する。この結果、「起動」ボタンを押した場合と同様のことが全監視・操作装置１０〜１０ｎで行われ、プラント１全体の蒸気タービンとガスタービンが起動する。
【０１３２】
（プラント遠隔監視制御システムの効果）
本実施形態によれば、複数に分割され、低コストであり保守性が高い監視・制御システム７〜７ｎにおいて、ある監視・制御システム７〜７ｎのリモートデスクトップ画面３１１から別の監視・制御システム７〜７ｎのプラント操作を行えるようにすることにより、プラント１の操作を運転員が効率的に行えるようになる。
【０１３３】
また、本実施形態によれば、上記の効果を得るため、各監視・制御システム７〜７ｎ間を制御ネットワーク３等により接続し、制御装置２間の伝送を行う必要がないため、システム構築費用やエンジニアリング費用を低減することができる。
【０１３４】
（第９実施形態）
（プラント遠隔監視制御システムの構成）
図２４は第９実施形態に係るプラント遠隔監視制御システムにおける監視・操作装置の構成及び処理フローを示すブロック図である。図２５は第９実施形態に係るプラント遠隔監視制御システムにおける遠隔監視・操作装置の表示画面例を示す図である。
【０１３５】
なお、本実施形態は、前記第７実施形態の変形例であって、前記第７実施形態と同一の部分又は類似の部分には、同一の符号を付して重複説明を省略する。また、遠隔監視・操作装置２０の構成は、図１８に示す第７実施形態の遠隔監視・操作装置２０と同様であるので、図示を省略する。
【０１３６】
本実施形態では、図２４に示すように監視・操作装置１０に操作要求送信部１２３と、プラント操作権限変更部１２２が設けられている。なお、監視・操作装置１０ａ〜１０ｎについても監視・操作装置１０と同様である。
【０１３７】
本実施形態では、監視・操作装置１０は、遠隔ネットワーク４を介して自身がリモートデスクトップ接続されて表示する画面における操作者の操作要求を送信する操作要求送信部１２３と、遠隔ネットワーク４を介して操作要求を受信して自身におけるプラント操作権限を変更するプラント操作権限変更部１２２を有する。遠隔監視・操作装置２０は、遠隔ネットワーク４を介して操作要求を受信し、遠隔ネットワーク４を介して監視・制御システム７〜７ｎ内の監視・操作装置１０に転送する操作要求中継部２２６を有する。
【０１３８】
操作要求送信部１２３は、前記第６実施形態にて示したものと同様の機能を有し、プラント操作権限変更部１２２は、前記第５実施形態にて示したものと同様の機能を有している。
【０１３９】
すなわち、操作要求送信部１２３は、操作者よりの操作入力機器２２を用いた遠隔監視・操作装置２０への操作要求を操作入力部２０２、リモートデスクトップクライアント部２０４、リモートデスクトップサーバ部１０４及び操作入力部１０２を介して入力し、その操作要求を遠隔監視・操作装置２０に向けて遠隔ネットワーク４に出力する機能を提供する。
【０１４０】
プラント操作権限変更部１２２は、操作権限変更要求を遠隔ネットワーク４を介して入力し、その操作権限変更要求に基づいて、プラント操作権限の変更をプラント監視操作部１０３に要求する機能を提供する。
【０１４１】
（プラント遠隔監視制御システムの処理フロー）
例えば、遠隔監視・操作装置２０の画面表示部２０１を介して画面表示機器２１に図２５に示すような画面が表示されているとする。各監視・制御システム（ユニット）７〜７ｎのリモートデスクトップ画面３１１には、各ユニットの概況を示す系統図画面が表示されている。
【０１４２】
ユニット１のリモートデスクトップ画面３１１の「操作許可」ボタンを押した際には、操作入力部２０２、リモートデスクトップクライアント部２０４、遠隔ネットワーク４、リモートデスクトップサーバ部１０４、及び操作入力部１０２を介して、その操作が操作要求送信部１２３に入力される。
【０１４３】
これを受けて操作要求送信部１２３は、ユニット１以外を対象とする「操作禁止」の操作要求を遠隔監視・操作装置２０に向けて遠隔ネットワーク４に出力する。この「操作禁止」の操作要求を受けた操作要求中継部２２６は、「操作禁止」の操作要求をユニット１以外に対応する監視・制御システム７ａ〜７ｎの監視・操作装置１０ａ〜１０ｎに向けて遠隔ネットワーク４に出力する。
【０１４４】
この「操作禁止」の操作要求を受けたプラント操作権限変更部１２２は、プラント操作権限を禁止状態とする要求をプラント監視操作部１０３に出力し、これを受けたプラント監視操作部１０３は、プラント操作権限を許可状態とするとともに、実施中のプラント操作があれば中止する。この結果、遠隔監視・操作装置２０では全てのユニット１以外でのプラント１の操作を行えなくなる。
【０１４５】
（プラント遠隔監視制御システムの効果）
本実施形態によれば、複数に分割され、低コストであり保守性が高い監視・制御システム７〜７ｎにおいて、操作権限変更を一つの操作により一括して行えるようにすることにより、プラント１に対する操作を運転員が効率的に行えるようになる。
【０１４６】
また、ある監視・制御システム７〜７ｎのリモートデスクトップ画面３１１から別の監視・制御システム７〜７ｎの操作権限変更を行えるようにすることにより、プラント１の誤操作を防止できる。
【０１４７】
（その他の実施形態）
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更、組み合わせを行うことができる。この実施形態やその変形は、発明の範囲や要旨に含まれると同様に、特許請求の範囲に記載された発明とその均等の範囲に含まれるものである。
【０１４８】
なお、上記実施形態におけるプラントは、原子力プラント、化学プラント、製鉄プラント等のあらゆるプラントに適用することができる。
【符号の説明】
【０１４９】
１…プラント、２，２ａ〜２ｎ…制御装置、３，３ａ〜３ｎ…制御ネットワーク、４…遠隔ネットワーク、７，７ａ〜７ｎ…監視・制御システム、１０，１０ａ〜１０ｎ…監視・操作装置、１１…画面表示機器、１２…操作入力機器、２０…遠隔監視・操作装置、２１…画面表示機器、２２…操作入力機器、１０１…画面表示部、１０２…操作入力部、１０３…プラント監視操作部、１０４…リモートデスクトップサーバ部、１１５…重要警報情報送信部（重要情報送信部）、１１７…重要プロセス情報送信部（重要情報送信部）、１２０…画面操作要求反映部、１２１…プラント操作要求中継部、１２２…プラント操作権限変更部、１２３…操作要求送信部、２０１…画面表示部、２０２…操作入力部、２０４…リモートデスクトップクライアント部、２１５…重要警報情報受信部（重要情報受信部）、２１６…重要警報情報画面管理部（重要情報画面管理部）、２１７…重要プロセス情報受信部（重要情報受信部）、２１８…重要プロセス情報画面管理部（重要情報画面管理部）、２１９…操作要求送信部、２２３…画面操作要求反映部、２２６…操作要求中継部、３１１…リモートデスクトップ画面、３１２…重要警報情報集約画面、３１３…重要警報情報詳細画面、３１４…重要プロセス情報集約画面、３１５…重要プロセス情報詳細画面、３１６…重要操作集約画面、３１７…プラント操作権限変更画面
【図１】
2017059131.tif 000003
【図２】
2017059131.tif 000004
【図３】
2017059131.tif 000005
【図４】
2017059131.tif 000006
【図５】
2017059131.tif 000007
【図６】
2017059131.tif 000008
【図７】
2017059131.tif 000009
【図８】
2017059131.tif 000010
【図９】
2017059131.tif 000011
【図１０】
2017059131.tif 000012
【図１１】
2017059131.tif 000013
【図１２】
2017059131.tif 000014
【図１３】
2017059131.tif 000015
【図１４】
2017059131.tif 000016
【図１５】
2017059131.tif 000017
【図１６】
2017059131.tif 000018
【図１７】
2017059131.tif 000019
【図１８】
2017059131.tif 000020
【図１９】
2017059131.tif 000021
【図２０】
2017059131.tif 000022
【図２１】
2017059131.tif 000023
【図２２】
2017059131.tif 000024
【図２３】
2017059131.tif 000025
【図２４】
2017059131.tif 000026
【図２５】
2017059131.tif 000027
【図２６】
2017059131.tif 000028